(57)【要約】【課題】良好な受信感度と安定したアンテナ性能を期待でき、かつ外部光による表示品位の低下も抑制できるアンテナ付き携帯表示装置を提供すること。【解決手段】本体ケース３の前面に液晶ディスプレイ４が配設されている装置本体１に、アンテナ装置２が着脱可能に装着されたアンテナ付き携帯表示装置であって、アンテナ装置２は、本体ケース３の上面に載置固定された平板状の庇部材６と、庇部材６上に固定されたチューナ部７と、チューナ部７上に立設されたモノポールアンテナ８とによって構成されている。庇部材６は金属板からなり、モノポールアンテナ８の下端と液晶ディスプレイ４の上端との間に配置されて前方へ延在している。この庇部材６は、チューナ部７に内蔵されているアンテナ回路の接地導体部７ａと接続されており、モノポールアンテナ８の接地板として機能する。【選択図】図１
2009296366.tif 000002
【特許請求の範囲】
【請求項１】
本体ケース上に設置されたアンテナ部と、前記本体ケースの一面に配設されて前記アンテナ部で受信した映像信号を表示可能な表示部と、この表示部と前記アンテナ部との間に配置されて前方へ延在する金属製の庇部材とを備え、この庇部材をアンテナ回路の接地導体部と接続させたことを特徴とするアンテナ付き携帯表示装置。
【請求項２】
請求項１の記載において、前記庇部材が前後進可能な可動金属板を有しており、この可動金属板を前記本体ケース上の後退位置から前進させることによって前記庇部材が伸展状態となるようにしたことを特徴とするアンテナ付き携帯表示装置。
【請求項３】
請求項１または２の記載において、前記アンテナ部の基部にチューナ部を設けて該チューナ部が前記庇部材に固定されてなるアンテナ装置を備え、このアンテナ装置が前記本体ケース上に着脱可能に搭載されていることを特徴とするアンテナ付き携帯表示装置。
【請求項４】
請求項１の記載において、前記本体ケースの側面に配設されたアース端子に前記庇部材が軸支されており、この庇部材が、前記本体ケース上から前方へ延在する第１の姿勢と前記表示部の全面を覆う第２の姿勢との間で回動可能であることを特徴とするアンテナ付き携帯表示装置。
【請求項５】
請求項１〜４のいずれか１項の記載において、前記アンテナ部が前記本体ケースの上方へ伸縮可能に突出するモノポールアンテナであることを特徴とするアンテナ付き携帯表示装置。
【発明の詳細な説明】
【技術分野】
【０００１】
本発明は、本体ケース上に設置されたアンテナ部で受信した映像信号を液晶ディスプレイ等の表示部で表示可能なアンテナ付き携帯表示装置に関するものである。
【背景技術】
【０００２】
近年、持ち運びに便利な小型のＡＶ機器やゲーム機、電子辞書、携帯端末機などにおいて、地上デジタルテレビ放送が視聴できるようにモノポールアンテナ等のアンテナ部を本体ケースに付設し、この本体ケースに内蔵または外付けしたチューナ部（テレビチューナ）にアンテナ部の受信信号が供給されるように構成したものが普及しつつある（例えば、特許文献１参照）。すなわち、この種の電子機器は、表示部として液晶ディスプレイを本体ケースの一面に配設してなる携帯表示装置なので、アンテナ部で受信した放送波をチューナ部で選局して液晶ディスプレイへ出力すれば、この液晶ディスプレイをテレビ画面として利用することができる。
【特許文献１】特開平９−２８８５２６号公報
【発明の開示】
【発明が解決しようとする課題】
【０００３】
ところで、従来公知のアンテナ付き携帯表示装置では、本体ケースの一側部にアンテナ部を取り付けた構成のものもあるが、アンテナ部が本体ケース上に設置されていると、本体ケースに遮られることなくアンテナ部で電波を受信できるため、受信感度の向上が期待できる。しかしながら、小型薄型の本体ケース上にアンテナ部を設置した場合、このアンテナ部の近傍に広いアンテナ接地面を確保することが困難となり、また液晶ディスプレイ（表示部）からアンテナ部にノイズが飛びやすく、それゆえアンテナ性能が不安定になりやすいという問題があった。
【０００４】
また、携帯表示装置は屋外を含むさまざまな場所で使用されるため、直射日光や照明等の外部光が液晶ディスプレイ（表示部）に照射されて表示品位が著しく低下してしまうことがあった。
【０００５】
本発明は、このような従来技術の実情に鑑みてなされたもので、その目的は、良好な受信感度と安定したアンテナ性能を期待でき、かつ外部光による表示品位の低下も抑制できるアンテナ付き携帯表示装置を提供することにある。
【課題を解決するための手段】
【０００６】
上記の目的を達成するため、本発明のアンテナ付き携帯表示装置は、本体ケース上に設置されたアンテナ部と、前記本体ケースの一面に配設されて前記アンテナ部で受信した映像信号を表示可能な表示部と、この表示部と前記アンテナ部との間に配置されて前方へ延在する金属製の庇部材とを備え、この庇部材をアンテナ回路の接地導体部と接続させるという構成にした。
【０００７】
このように構成されたアンテナ付き携帯表示装置では、表示部とアンテナ部との間に配置されて前方へ延在する金属製の庇部材がアンテナ部の接地板として機能するため、アンテナ接地面が広くなって表示部からのノイズも遮断でき、よってアンテナ性能の安定化と高利得化が図れる。また、アンテナ部が本体ケース上に設置されているため、受信感度も良好となる。さらに、直射日光や照明等の外部光が表示部に照射されないように庇部材で遮ることができるため、外部光による表示品位の低下が抑制できる。
【０００８】
上記の構成において、庇部材が前後進可能な可動金属板を有しており、この可動金属板を本体ケース上の後退位置から前進させることによって庇部材が伸展状態となるようにしてあると、庇部材を利用するときだけ可動金属板を前進させた伸展状態となし、庇部材を利用しないときには、可動金属板を本体ケース上に後退させて庇部材を小さく畳んでおくことができる。
【０００９】
また、上記の構成において、アンテナ部の基部にチューナ部を設けて該チューナ部が庇部材に固定されてなるアンテナ装置を備え、このアンテナ装置が本体ケース上に着脱可能に搭載されていると、ユニット化されたアンテナ装置を必要時に本体ケース上に容易に装着することができ、アンテナ装置が不要なときにはこれを本体ケースから取り外して携帯表示装置をコンパクトな形状となすことが可能となる。
【００１０】
また、上記の構成において、本体ケースの側面に配設されたアース端子に庇部材が軸支されており、この庇部材が、本体ケース上から前方へ延在する第１の姿勢と表示部の全面を覆う第２の姿勢との間で回動可能であると、携帯表示装置を使用するときだけ庇部材を第１の姿勢に設定し、それ以外のときには庇部材を第２の姿勢に設定しておくことができる。こうすることによって、携帯表示装置の非使用時に庇部材が邪魔にならなくなると共に、この庇部材で表示部を保護することができる。
【００１１】
なお、上記の構成において、アンテナ部が本体ケースの上方へ伸縮可能に突出するモノポールアンテナであると、地上デジタルテレビ放送の視聴に好適となる。
【発明の効果】
【００１２】
本発明のアンテナ付き携帯表示装置は、金属製の庇部材がアンテナ部の接地板として機能し、アンテナ接地面が広くなって表示部からのノイズも遮断できるため、アンテナ性能の安定化と高利得化が図れる。また、アンテナ部が本体ケース上に設置されているため受信感度が良好となり、さらに、直射日光や照明等の外部光が表示部に照射されないように庇部材で遮ることができるため、外部光による表示品位の低下を抑制できる。
【発明を実施するための最良の形態】
【００１３】
発明の実施の形態を図面を参照して説明すると、図１は本発明の第１実施形態例に係るアンテナ付き携帯表示装置の斜視図である。
【００１４】
図１に示すアンテナ付き携帯表示装置は小型のＡＶ機器であり、装置本体１に地上デジタルテレビ放送用のアンテナ装置２が着脱可能に装着されている。装置本体１の外殻をなす本体ケース３には、その前面に表示部として液晶ディスプレイ４が配設されている。なお、本体ケース３上に装着したアンテナ装置２は、信号線５を介して装置本体１と電気的に接続されている。
【００１５】
アンテナ装置２は、本体ケース３の上面に載置固定された平板状の庇部材６と、この庇部材６上に固定されたチューナ部（テレビチューナ）７と、このチューナ部７上に立設された伸縮可能なロッド状のモノポールアンテナ８とによって構成されている。庇部材６は金属板からなり、モノポールアンテナ８の下端と液晶ディスプレイ４の上端との間に配置されて前方へ延在している。この庇部材６は、チューナ部７に内蔵されているアンテナ回路の接地導体部７ａと接続されているため、モノポールアンテナ８の接地板として機能する。チューナ部７にはモノポールアンテナ８から受信信号が供給されると共に、このチューナ部７から信号線５を介して装置本体１へ映像信号や音声信号が供給できるようになっている。
【００１６】
したがって、本実施形態例に係るアンテナ付き携帯表示装置では、装置本体１にアンテナ装置２を装着することによって地上デジタルテレビ放送が視聴可能となる。すなわち、モノポールアンテナ８で受信された放送波をチューナ部７で選局して装置本体１の液晶ディスプレイ４へ出力することができるため、この液晶ディスプレイ４をテレビ画面として利用することができる。また、モノポールアンテナ８が本体ケース３上で起立しているため、このモノポールアンテナ８は本体ケース３に遮られることなく放送波を受信できて良好な受信感度が期待できる。
【００１７】
また、本実施形態例に係るアンテナ付き携帯表示装置は、庇部材６がモノポールアンテナ８と液晶ディスプレイ４との間に配置されて前方へ延在し、モノポールアンテナ８の接地板として機能するため、アンテナ接地面が広くて液晶ディスプレイ４からのノイズも遮断しやすい。したがって、装置本体１上に装着したアンテナ装置２はアンテナ性能が安定して利得も高めやすい。
【００１８】
さらに、本実施形態例に係るアンテナ付き携帯表示装置は、直射日光や照明等の外部光が液晶ディスプレイ４に照射されないように庇部材６で遮ることができるため、外部光による表示品位の低下を抑制できる。
【００１９】
なお、本実施形態例において、庇部材６とチューナ部７とモノポールアンテナ８とをユニット化してなるアンテナ装置２は、必要時に本体ケース３上に容易に装着することができる。また、アンテナ装置２が不要なときには、これを本体ケース３から取り外して携帯表示装置をコンパクトな形状にしておくこともできる。
【００２０】
図２は本発明の第２実施形態例に係るアンテナ付き携帯表示装置で庇部材を伸展させた状態を示す斜視図、図３は該携帯表示装置で庇部材を小さく畳んだ状態を示す斜視図であって、図１と対応する部分には同一符号が付してあるため、重複する説明は省略する。
【００２１】
この第２実施形態例では、庇部材６が前後進可能な２枚の可動金属板６ａ，６ｂを有している。そして、この庇部材６を利用する際には、図２に示すように、可動金属板６ａを本体ケース３上から前方へ延出した位置に配置させ、かつ可動金属板６ｂを可動金属板６ａの前端部とオーバーラップする位置から前方へ延出した位置に配置させることにより、庇部材６を伸展状態となす。これにより、庇部材６を前記第１実施形態例と同様に機能させることができる。
【００２２】
また、第２実施形態例において、庇部材６を利用しないときには、図３に示すように、可動金属板６ａ，６ｂを本体ケース３上へ後退させて重ね合わせることにより、庇部材６を小さく畳んだ状態となすことができる。したがって、庇部材６が一時的に不要となったときに、アンテナ装置２をわざわざ本体ケース３から取り外さなくても、図３に示すように庇部材６を小さく畳んでおけば邪魔にはならない。そして、再び庇部材６を利用するときには容易にこれを伸展状態となすことができる。
【００２３】
図４は本発明の第３実施形態例に係るアンテナ付き携帯表示装置の使用時の斜視図、図５は該携帯表示装置の非使用時の斜視図であって、図１と対応する部分には同一符号が付してあるため、重複する説明は省略する。
【００２４】
この第３実施形態例では、庇部材６が装置本体１の一対のアース端子９に回動可能に軸支されており、図示せぬチューナ部は本体ケース３に内蔵されている。また、本体ケース３上に設置されたモノポールアンテナ８は、装置本体１の図示せぬアンテナ端子に接続されている。各アース端子９は本体ケース３に内蔵されているアンテナ回路の接地導体部であり、一対のアース端子９が本体ケース３の両側面に突設されている。これらアース端子９に軸支された庇部材６は、図４に示すように本体ケース３上から前方へ延在する第１の姿勢と、図５に示すように液晶ディスプレイ４の全面を覆う第２の姿勢との間で回動可能である。
【００２５】
この第３実施形態例では、庇部材６を図４に示す第１の姿勢に設定することによって前記第１実施形態例と同様に機能させることができる。また、装置装置１を使用しないときには、庇部材６を図５に示す第２の姿勢に設定しておくことによって、液晶ディスプレイ４の全面を庇部材６で保護することができると共に、庇部材６が邪魔にならなくなる。
【００２６】
なお、上記の各実施形態例では、本体ケース３上に設置するアンテナ部としてモノポールアンテナを用いているが、他の構造のアンテナ部を用いることも可能である。
【００２７】
また、上記の各実施形態例では、アンテナ付き携帯表示装置がＡＶ機器の場合を示しているが、ゲーム機や電子辞書、携帯端末機などの他のアンテナ付き携帯表示装置においても本発明を適用できることは言うまでもない。
【図面の簡単な説明】
【００２８】
【図１】本発明の第１実施形態例に係るアンテナ付き携帯表示装置の斜視図である。
【図２】本発明の第２実施形態例に係るアンテナ付き携帯表示装置で庇部材を伸展させた状態を示す斜視図である。
【図３】第２実施形態例に係る携帯表示装置で庇部材を小さく畳んだ状態を示す斜視図である。
【図４】本発明の第３実施形態例に係るアンテナ付き携帯表示装置の使用時の斜視図である。
【図５】第３実施形態例に係る携帯表示装置の非使用時の斜視図である。
【符号の説明】
【００２９】
１  装置本体
２  アンテナ装置
３  本体ケース
４  液晶ディスプレイ（表示部）
５  信号線
６  庇部材
６ａ，６ｂ  可動金属板
７  チューナ部（テレビチューナ）
７ａ  接地導体部
８  モノポールアンテナ（アンテナ部）
９  アース端子（接地導体部）
【図１】
2009296366.tif 000003
【図２】
2009296366.tif 000004
【図３】
2009296366.tif 000005
【図４】
2009296366.tif 000006
【図５】
2009296366.tif 000007